(57)【特許請求の範囲】
【請求項１】
反射鏡付きハロゲン電球を代替するスポット用光源であって、
発光素子と、
発光素子を格納し、発光素子の出射光を通過させる開口を有する格納器と、
前記発光素子を点灯する回路を内蔵するベースと、
前記回路に給電する口金、を備え、
前記発光素子の上面にレンズを配置し、
前記格納器の発光素子を囲繞する側面部は、光透過性を有しており、
前記側面部は、希土類元素を多結晶の状態で含んでおり、
前記発光素子の出射光によって発色する
ことを特徴とするスポット用光源。
【請求項２】
前記側面部はセラミックスからなっている
ことを特徴とする請求項１に記載のスポット用光源。
【請求項３】
前記側面部は樹脂材料からなっている
ことを特徴とする請求項１に記載のスポット用光源。
【請求項４】
前記セラミックスは炭化珪素、窒化アルミニウム、サファイア、アルミナ、ベリリア、チタニア、イットリア、窒化珪素、窒化ホウ素、ジルコニア、マグネシア及びシリカのうち、少なくともひとつ、又は２つ以上の混合体を主成分とする
ことを特徴とする請求項２に記載のスポット用光源。
【請求項５】
格納器は底部を有し、
発光素子は、格納器の底部に取着されている
ことを特徴とする請求項１に記載のスポット用光源。
【請求項６】
発光素子を支持する支持部材を備え、
格納器は底部を有し、
発光素子は、前記支持部材を介して、格納器の底部に取着されている
ことを特徴とする請求項１に記載のスポット用光源。
【請求項７】
格納器は、底部と側面部とが一体形成されている
ことを特徴とする請求項５または６に記載のスポット用光源。
【請求項８】
格納器は、椀状である
ことを特徴とする請求項１、５から７の何れかに記載のスポット用光源。
【請求項９】
格納器は、反射鏡を兼ねる
ことを特徴とする請求項１、５から８の何れかに記載のスポット用光源。
【請求項１０】
反射鏡付きハロゲン電球を代替するスポット用光源であって、
発光素子と、
発光素子を格納し、発光素子の出射光を通過させる開口を有する格納器と、
前記発光素子を点灯する回路を内蔵するベースと、
前記回路に給電する口金、を備え、
前記発光素子の上面にレンズを配置し、
前記格納器の発光素子を囲繞する側面部は、光透過性を有しており、
前記側面部はセラミックスからなっており、
前記側面部の外周にはシリコンカーバイドの被膜が形成されている
ことを特徴とするスポット用光源。
【請求項１１】
前記側面部は樹脂材料からなっている
ことを特徴とする請求項１０に記載のスポット用光源。
【請求項１２】
前記セラミックスは炭化珪素、窒化アルミニウム、サファイア、アルミナ、ベリリア、チタニア、イットリア、窒化珪素、窒化ホウ素、ジルコニア、マグネシア及びシリカのうち、少なくともひとつ、又は２つ以上の混合体を主成分とする
ことを特徴とする請求項１０に記載のスポット用光源。
【請求項１３】
格納器は底部を有し、
発光素子は、格納器の底部に取着されている
ことを特徴とする請求項１０に記載のスポット用光源。
【請求項１４】
発光素子を支持する支持部材を備え、
格納器は底部を有し、
発光素子は、前記支持部材を介して、格納器の底部に取着されている
ことを特徴とする請求項１０に記載のスポット用光源。
【請求項１５】
格納器は、底部と側面部とが一体形成されている
ことを特徴とする請求項１３または１４に記載のスポット用光源。
【請求項１６】
格納器は、椀状である
ことを特徴とする請求項１０、１３から１５の何れかに記載のスポット用光源。
【請求項１７】
格納器は、反射鏡を兼ねる
ことを特徴とする請求項１０、１３から１６の何れかに記載のスポット用光源。
【発明の詳細な説明】
【技術分野】
【０００１】
本発明は、ＬＥＤ（Light Emitting Diode）等の発光素子を備えたスポット用光源に関する。
【背景技術】
【０００２】
商業施設や住宅におけるスポットライト等のスポット用光源としては、反射鏡付きハロゲン電球が広く普及している。
一方、照明分野でも省電力化および長寿命化が重要視されており、ＬＥＤを具備する照明装置（以下、ＬＥＤ照明装置という）を従来の電球に代替させる技術が研究・開発されている。反射鏡付きハロゲン電球に関しても例外ではなく、反射鏡付きのＬＥＤ照明装置が数多く提案されている（例えば、特許文献１，２参照）。
【０００３】
一般にＬＥＤは、点灯中に発熱を伴い、また、発熱により高温になるほど発光効率が低下するという特性を持つ。そのため、ＬＥＤ照明装置の実用化においては、既存の器具に取り付け可能という寸法制限の範囲内で放熱性を如何にして高めるかということが重要な課題となる。これに対し、反射鏡付きのＬＥＤ照明装置において、金属製の反射鏡を採用して放熱器としても兼用する技術が提案されている（例えば、特許文献３参照）。これによれば、寸法制限の範囲内でＬＥＤ照明装置の放熱性を高めることができる。
【先行技術文献】
【特許文献】
【０００４】
【特許文献１】特開２００７−３１７４３１号公報
【特許文献２】登録実用新案第３１５３７３２号
【特許文献３】特開２００６−２０２６１２号公報
【発明の概要】
【発明が解決しようとする課題】
【０００５】
ところで、従来の反射鏡付きハロゲン電球では、椀状のガラス基材の内周面に金属蒸着膜や誘電体多層膜などの反射膜を形成した反射鏡を利用するのが一般的である。ただし、このガラス基材のネック部には、固着剤を用いてハロゲン電球を取り付けるため、反射膜が形成されないことが多い。このような反射鏡付きハロゲン電球を点灯させた場合には、ハロゲン電球の出射光は反射鏡の開口端から出射されるだけでなく、反射膜が存在しないネック部からも漏れ光として出射されることになる。商業施設等では、この漏れ光を積極的に利用して空間全体の「明るさ感」を演出する場合がある。
【０００６】
しかしながら、上述の反射鏡付きＬＥＤ照明装置では金属製の反射鏡を採用しているため、ＬＥＤの出射光は反射鏡の開口端のみから出射され、漏れ光が発生する余地はない。したがって、漏れ光を積極的に利用するような形態では、このようなＬＥＤ照明装置は従来のハロゲン電球の代替品として不適格である。
そこで、本発明は、漏れ光を積極的に利用するような形態において従来のハロゲン電球に代替することができるスポット用光源を提供することを目的とする。
【課題を解決するための手段】
【０００７】
上記目的を達成するため、本発明に係るスポット用照明は、反射鏡付きハロゲン電球を代替するスポット用光源であって、発光素子と、発光素子を格納し、発光素子の出射光を通過させる開口を有する格納器と、前記発光素子を点灯する回路を内蔵するベースと、前記回路に給電する口金、を備え、前記発光素子の上面にレンズを配置し、前記格納器の発光素子を囲繞する側面部は、光透過性を有していることを特徴とする。
【発明の効果】
【０００８】
このようにすれば、側面部が光透過性を有しているので、スポット用光源の側方へ漏れ光を発生させて、これを積極的に利用することができる。
この場合において、前記側面部はセラミックスとするのが好ましく、具体的には、前記セラミックスは炭化珪素、窒化アルミニウム、サファイア、アルミナ、ベリリア、チタニア、イットリア、窒化珪素、窒化ホウ素、ジルコニア、マグネシア及びシリカのうち、少なくともひとつ、又は２つ以上の混合体を主成分とすれば良い。
【０００９】
また、前記側面部は樹脂材料からなっているとしても良い。
また、前記側面部は、希土類元素を多結晶の状態で含んでおり、前記発光素子の出射光によって発色するとすれば、所望の光色の漏れ光を発生させることができる。
また、前記側面部の外周にはシリコンカーバイドの被膜が形成されているとすれば、シリコンカーバイドは高い導熱性を有しているので、放熱器の放熱効率を向上させることができる。
【００１０】
また、格納器は底部を有し、発光素子は、格納器の底部に取着されていても良い。
また、発光素子を支持する支持部材を備え、格納器は底部を有し、発光素子は、前記支持部材を介して、格納器の底部に取着されていても良い。
また、底部と側面部とを一体形成すれば、スポット用光源の組立ての手間を軽減し、かつ光学系の組立て精度を向上させることができる。
【００１１】
また、格納器は、椀状であっても良く、反射鏡を兼ねていても良い。
【図面の簡単な説明】
【００１２】
【図１】本発明の実施形態に係るスポット用光源の構成を示す一部切欠き図である。
【図２】側面部１２ｂの全光線透過率を解説する図である。
【図３】ＬＥＤ素子を３つ備え、砲弾型のレンズを用いたスポット用光源の構成を示す断面斜視図である
【図４】スポット用光源３のＬＥＤ素子の配置を示す平面図であって、（ａ）から（ｃ）はそれぞれＬＥＤ素子の数が３つ、４つ及び６つの場合の配置を示す。
【図５】ＬＥＤ素子を１つ備え、反射型レンズを用いたスポット用光源の構成を示す断面斜視図である。
【図６】ＬＥＤ素子を１つ備え、反射型レンズを用いたスポット用光源の構成を示す断面斜視図である。
【図７】反射型レンズ３９の形状を示す外観斜視図である。
【図８】ＬＥＤ素子と反射型レンズとを３つずつ備えたスポット用光源の構成を示す断面斜視図である。
【図９】ＬＥＤ素子と反射型レンズとを３つずつ備えたスポット用光源の構成を示す断面斜視図である。
【図１０】反射型レンズ４３、４４の形状を示す外観斜視図であって、（ａ）は反射型レンズ４３を示し、（ｂ）は反射型レンズ４４を示す。
【図１１】ＬＥＤ素子を１つ備え、凸レンズを用いたスポット用光源の構成を示す断面斜視図である。
【図１２】ＬＥＤ素子を３つ備え、凸レンズを用いたスポット用光源の構成を示す断面斜視図である。
【図１３】ＬＥＤ素子を１つ備え、フレネルレンズを用いたスポット用光源の構成を示す断面斜視図である。
【図１４】ＬＥＤ素子を３つ備え、フレネルレンズを用いたスポット用光源の構成を示す断面斜視図である。
【図１５】フレネルレンズ４６の外観を示す斜視図である。
【図１６】ＬＥＤ素子を１つ備え、砲弾型レンズと凸レンズとを組み合わせて用いたスポット用光源の構成を示す断面斜視図である。
【図１７】ＬＥＤ素子を３つ備え、砲弾型レンズと凸レンズとを組み合わせて用いたスポット用光源の構成を示す断面斜視図である。
【図１８】ＬＥＤ素子を１つ備え、砲弾型レンズとフレネルレンズとを組み合わせて用いたスポット用光源の構成を示す断面斜視図である。
【図１９】ＬＥＤ素子を３つ備え、砲弾型レンズとフレネルレンズとを組み合わせて用いたスポット用光源の構成を示す断面斜視図である。
【図２０】反射型レンズと凸レンズとを組み合わせて用いたスポット用光源の構成を示す断面斜視図である。
【図２１】反射型レンズと凸レンズとを一体化したスポット用光源の構成を示す断面斜視図である。
【図２２】３つのＬＥＤ素子を備え、反射型レンズと凸レンズとを組み合わせて用いたスポット用光源の構成を示す断面斜視図である。
【図２３】３つのＬＥＤ素子を備え、反射型レンズと凸レンズとを一体化したスポット用光源の構成を示す断面斜視図である。
【図２４】ＬＥＤ素子を１つ備え、反射型レンズとフレネルレンズとを備えるスポット用光源の構成を示す断面斜視図である。
【図２５】ＬＥＤ素子を３つ備え、反射型レンズとフレネルレンズとを備えるスポット用光源の構成を示す断面斜視図である。
【図２６】Ｅ口金を備えたスポット用光源の構成を示す一部切欠き図である。
【発明を実施するための形態】
【００１３】
本発明を実施するための形態を、図面を参照して詳細に説明する。
図１は、本発明の実施形態に係るスポット用光源の構成を示す一部切欠き図である。
スポット用光源１は、主たる構成として、ケース１１、放熱器１２および発光部１８を備えている。まずこれらの概略構成を説明し、次いで放熱器１２の詳細構成について説明する。
＜概略構成＞
ケース１１は、セラミックス等の絶縁材料からなり、円筒部１１ａとこの円筒部１１ａの一端から延設された突出部１１ｂとにより構成されている。円筒部１１ａの内部空間には点灯回路１７が収容されている。突出部１１ｂの外周面には金属製のシェル１５が設けられ、突出部１１ｂの先端部には金属製のアイレット１６が設けられている。シェル１５およびアイレット１６は何れも配線により点灯回路１７に接続されており、外部電源から電力の供給を受ける給電端子となっている。
【００１４】
放熱器１２は、底部１２ａとこの底部１２ａの周縁から延設された側面部１２ｂとにより椀状に形成されている。放熱器内の底部１２ａには発光部１８が熱伝導性の固着剤で固定されており、放熱器１２の開口部には前面ガラス１３が金具１４で取り付けられ、放熱器の底部１２ａの外面にはケース１１が固着剤で固定されている。放熱器１２の側面部１２ｂは、光透過性材料からなっている。放熱器１２の内周面は、ハーフミラーとなっており、放熱器１２は反射鏡として兼用されている。放熱器１２の寸法は、既存の反射鏡付きハロゲン電球と同程度あるいはそれよりも小さければよい。例えば、反射鏡の開口径が５０［ｍｍ］から７０［ｍｍ］程度のハロゲン電球に代替させる場合には、放熱器１２の開口径を、５０［ｍｍ］から７０［ｍｍ］程度あるいはそれよりも小さくすればよい。また、側面部１２ｂの肉厚は１［ｍｍ］以上、３［ｍｍ］以下の範囲内とすれば好適である。
【００１５】
発光部１８は、金属基板１８ａ、ＬＥＤ素子１８ｂ、シリコーン樹脂部材１８ｃ、レンズ１８ｄにより構成されている。金属基板１８ａは、銅等の金属基材の上面に樹脂等の絶縁膜を成膜し、絶縁膜上に配線パターンを形成したものである。配線パターンは、不図示の配線により点灯回路１７に接続されている。ＬＥＤ素子１８ｂは、いわゆる青色発光ダイオードであり、金属基板１８ａに形成された配線パターン上に実装されている。シリコーン樹脂部材１８ｃは、ＬＥＤ素子１８ｂを内包するように成形されており、シリコーン樹脂中に黄色蛍光体粒子を分散したものである。このＬＥＤ素子１８ｂとシリコーン樹脂部材１８ｃとの組み合わせにより白色光を得ることができる。レンズ１８ｄは、砲弾型のレンズであって、樹脂等の光透過性材料からなり、シリコーン樹脂部材１８ｃを内包するように設けられた光制御部材である。発光部１８は、発光部１８の光軸と放熱器１２の椀状の中心軸とが一致するように配置されている。
【００１６】
スポット用光源１は、商業施設等に設けられたソケットに装着されて利用される。発光部１８の出射光は、放熱器１２の開口部から前面ガラス１３を通じてスポットライトとして出射されるのはもちろん、放熱器１２の側面部１２ｂから透過光として出射される。これにより、商業施設等において漏れ光を利用して空間全体の「明るさ感」を演出することができる。
【００１７】
また、ＬＥＤ素子１８ｂの点灯により生じた熱は、熱伝導性部材である金属基板１８ａおよび熱伝導性の固着剤を介して放熱器１２に伝導されるので、効率的に放熱することができる。これによって、発光効率を向上させることができる。
＜放熱器の詳細構成＞
放熱器１２の側面部１２ｂを構成する光透過性材料は、例えば、炭化珪素（SiC）、窒化アルミニウム（AlN）、サファイア（Al2O3）、焼結アルミナ（Al2O3）、焼結ベリリア（BeO）、焼結カルシア（CaO）、焼結マグネシア（MgO）、焼結ムラライト（Al2O3・SiO2）、焼結チタニア（TiO2）、焼結イットリア（Y2O3）、溶融シリカ（SiO2）、窒化珪素（Si3N4）、窒化ホウ素（BN）、ジルコニア（ZrO2）及びステアタイト（MgO・SiO2）の何れかを主成分とするセラミックスやこれら材料の混合体を用いたセラミックスを用いれば良い。また、樹脂製であっても良い。なお、セラミックスは樹脂より高い熱伝導性を有し、また、金属よりも高い光透過性を有するので特に好適である。
【００１８】
また、放熱器１２の側面部１２ｂは、スポット用光源１のデザイン性、装飾性を高めるために、希土類元素を含有している。希土類元素を加えれば、セラミックスを焼成する際に結晶粒の成長を抑えることができるので、結晶粒の成長に起因してセラミックスが割れ易くなるのを防止することができる。また、希土類元素を加えることによってセラミックスの光透過性を高めることができる。これは、セラミックスに含有された希土類元素が蛍光発光することによって放熱器１２の外側へ照明光を出射するからである。
【００１９】
セラミックスに添加する希土類元素としてはスカンジウム（Sc）、イットリウム（Y）、ランタン（La）、セリウム（Ce）、プラセオジム（Pr）、ネオジム（Nd）、サマリウム（Sm）、プロメチウム（Pm）、ユウロピウム（Eu）、ガドリニウム（Gd）、テルビウム（Tb）、ジスプロシウム（Dy）、ホルミウム（Ho）、エルビウム（Er）、ツリウム（Tm）、イッテルビウム（Yb）及びルテチウム（Lu）の何れか１つ以上を用いれば良い。何れの希土類元素を添加するかによって透過光の光色を調節することができるので、スポット用光源の装飾性を更に高めることができる。
【００２０】
なお、高温で焼成することによってセラミックスがアモルファス化すると光色が薄くなるので、焼成はセラミックスが多結晶状態になる程度にとどめておくのが望ましい。また、放熱器１２として樹脂を用いる場合においても樹脂に蛍光物質を混入することによって透過光色を調節することができる。
また、放熱器１２の外周面にはシリコンカーバイドが薄く、例えば、厚さ数μｍ程度で塗布されている。シリコンカーバイドは高い熱伝導性を有するので、放熱器１２の放熱効率を向上させることができる。
【００２１】
また、側面部１２ｂの全光線透過率は５％から８０％の範囲内にあるのが良く、特に１０％から６０％の範囲内にあれば更に好ましい。ここで、側面部１２ｂの全光線透過率はスポット用光源１に光を遮蔽するカバーを装着しない場合の全光束値に対する光を遮蔽するカバーを装着した場合の全光束値の比によって定義される。
図２は、側面部１２ｂの全光線透過率を解説する図である。図２に示されるように、全光線透過率は、スポット用光源１のランプ前面（放熱部前面）に光線が完全に遮蔽され、かつ、光が全反射する白色のカバーを装着した際の全光束値Ｂの当該カバーを装着しない状態での全光束値Ａに対する比によって定義される。この場合において、光束値は何れも球面光束計を用いて測定される。なお、カバーを白色にするためには、例えば、硫酸バリウム（BaSO4）をカバー表面に塗布すれば良い。
【００２２】
なお、放熱器１２としてセラミックスを用いる場合、セラミックスは焼成時間が長いほど全光線透過率が高くなることから、焼成時間を調節することによって全光線透過率を調節することができる。例えば、セラミック材料として窒化アルミニウムを用いる場合には焼成時間を長くすることによって、熱伝導率と全光線透過率を高めることができる。
また、側面部１２ｂは、着色してもよい。従来のハロゲン電球では反射鏡にダイクロイックフィルタを利用したものがあり、これを点灯させた場合には漏れ光の色味が特定色（例えば赤色）となる場合がある。そこで、この特定色を再現するように側面部１２ｂを着色することにより、スポット用光源１のハロゲン電球への代替性をより高めることができる。
【００２３】
また、レンズ１８ｄの形状を砲弾型としているので、スポット用光源１の出射方向に近い角度に多くの光を漏らすことができる他、放熱器１２の側面部１２ｂへ出射光の一部を導くことができる。
なお、従来のハロゲン電球では反射鏡により配光が制御されているのに対し、スポット用光源１では主にレンズ１８ｄにより配光が制御されている。そのため、スポット用光源１では、発光部１８からの直接光がスポットライトに大きく寄与し、放熱器１２の内周面での反射光の寄与はわずかである。したがって、放熱器１２の側面部１２ｂを光透過性にしても、スポットライトの明るさにはほとんど影響することはない。
【００２４】
なお、放熱器１２としてセラミックスを用いる場合、鋳込み成形によって内周面を滑らかにすれば、当該内周面による反射光をスポット用光源１の前面に集光することもできる。この反射率を調節することによっても側面部１２ｂから漏れ光量を調節することができる。
＜変形例＞
以上、本発明を実施形態に基づいて説明したが、本発明は上記実施形態に限られない。例えば、以下のような変形例が考えられる。
【００２５】
（１）  上記実施の形態においては、ＬＥＤ素子を１つ備え、砲弾型のレンズを用いる場合について説明したが、本発明がこれに限定されないのは言うまでもなく、ＬＥＤ素子を複数個有していても良いし、砲弾型以外のレンズを用いても良い。
本発明に係るスポット用光源に用いることができるレンズは、砲弾型の他、反射型レンズや凸レンズ、フレネルレンズを用いても良い。また、凸レンズやフレネルレンズを砲弾型レンズと組み合わせて用いても良いし、凸レンズやフレネルレンズを反射型レンズと組み合わせて用いても良い。
【００２６】
図３は、ＬＥＤ素子を３つ備え、砲弾型のレンズを用いたスポット用光源の構成を示す断面斜視図である。図３に示されるように、スポット用光源３はＬＥＤ素子を３つ用いたスポット用光源であって、３つのＬＥＤ素子に個別に砲弾型レンズが取着されている。
図４は、スポット用光源３のＬＥＤ素子の配置を示す平面図であって、（ａ）から（ｃ）はそれぞれＬＥＤ素子の数が３つ、４つ及び６つの場合である。スポット用光源３においては、配光の偏りを防止するために、３つのＬＥＤ素子はそれぞれ正三角形の各頂点の位置となるように配置されている（図４（ａ））。
【００２７】
このようにすれば、Ｅ口金のように、ソケットにねじ込むようにして装着されるスポット用光源であっても、ねじ込みに伴うスポット用光源の回転によって配光が変化しないので便利である。ＬＥＤ素子の個数が４つや６つの場合にも図４（ｂ）、（ｃ）のように配置すれば、同様の効果を得ることができる。
図５は、ＬＥＤ素子を１つ備え、反射型レンズを用いたスポット用光源の構成を示す断面斜視図である。図５に示されるように、スポット用光源５は、砲弾型レンズに代えて反射型レンズ３８を備えている。ＬＥＤ素子１８ｂの出射光は反射型レンズ３８によって主にスポット用光源５の前方へ導かれる一方、一部は側面部１２ｂへ向かって漏れ光となる。
【００２８】
図６もまた、ＬＥＤ素子を１つ備え、反射型レンズを用いたスポット用光源の構成を示す断面斜視図である。図６に示されるスポット用光源６もまた反射型レンズ３９を備えているが、スポット用光源５と異なるのは、反射型レンズ３９が前面硝子を兼ねている点である。このため、反射型レンズ３９は金具１４にて固定されている。そして、反射型レンズ３９もまたＬＥＤ素子１８ｂの出射光の一部を側面部１２ｂへ導き、漏れ光を作り出す。
【００２９】
図７は、反射型レンズ３９の形状を示す外観斜視図である。ＬＥＤ素子１８ｂの出射光は第１反射面４０にて反射された後、カップ形状の第２反射面４１にて反射され、スポット用光源７の前面に位置する出射面４２から出射される。反射型レンズ３８もまた同様の形状を有している。
図８、９は、何れもＬＥＤ素子と反射型レンズとを３つずつ備えたスポット用光源の構成を示す断面斜視図である。図８に示されるスポット用光源１９は、３つのＬＥＤ素子１８ｂごとに反射型レンズ４３を備えている。また、図９に示されるスポット用光源２０は、３つのＬＥＤ素子１８ｂごとに備える反射型レンズ４４が前面硝子１３と一体になっている。
【００３０】
図１０は、反射型レンズ４３、４４の形状を示す外観斜視図であって、（ａ）は反射型レンズ４３を示し、（ｂ）は反射型レンズ４４を示す。図１０に示されるように、反射型４３、４４は反射型レンズ３９と同様に何れも第１反射面と第２反射面とを備えており、特に、反射型レンズ４４は一体形成された前面硝子１３にて金具１４を用いて固定されている。
【００３１】
図１１、１２は、何れも凸レンズを用いたスポット用光源の構成を示す断面斜視図であって、図１１はＬＥＤ素子を１つ備える構成を示し、図１２はＬＥＤ素子を３つ備える構成を示す。何れの場合もＬＥＤ素子１８ｂの出射光の大部分は凸レンズ４５によってスポット用光源２２、２３の前方へ集光される一方、出射光の一部が側面部１２ｂを透過する。
【００３２】
図１３、１４は、何れもフレネルレンズを用いたスポット用光源の構成を示す断面斜視図であって、図１３はＬＥＤ素子を１つ備える構成を示し、図１４はＬＥＤ素子を３つ備える構成を示す。凸レンズを用いる場合と同様に、ＬＥＤ素子１８ｂの出射光の大部分はフレネルレンズ４６によってスポット用光源２４、２５の前方へ集光される一方、出射光の一部が側面部１２ｂを透過して装飾性を演出する。
【００３３】
図１５は、フレネルレンズ４６の外観を示す斜視図である。図１５に示されるようにフレネルレンズ４６は凸レンズよりも平板な外形で同程度の集光力を実現できるので、スポット用光源をより小型化することができる。
図１６、１７は、砲弾型レンズと凸レンズとを組み合わせて用いたスポット用光源の構成を示す断面斜視図であって、図１６はＬＥＤ素子を１つ備える構成を示し、図１７はＬＥＤ素子を３つ備える構成を示す。砲弾型レンズ１８ｄと凸レンズ４５とを組み合わせて用いれば、砲弾型レンズ１８ｄの集光力を低減させて側面部１２ｂへ向かう光量を増加させる一方、凸レンズ４５によってスポット用光源２７、２８の前方への集光力を補うことができるので、高い装飾性と集光力とを両立させることができる。
【００３４】
図１８、１９は、砲弾型レンズとフレネルレンズとを組み合わせて用いたスポット用光源の構成を示す断面斜視図であって、図１８はＬＥＤ素子を１つ備える構成を示し、図１９はＬＥＤ素子を３つ備える構成を示す。砲弾型レンズ１８ｄと凸レンズ４５とを組み合わせて用いれば、上述のスポット用光源２７、２８と同様に、高い装飾性と集光力とを両立させることができ、更に、スポット用光源２９、３０をスポット用光源２７、２８よりも小型化することができる。
【００３５】
図２０、２１は、反射型レンズと凸レンズとを組み合わせて用いたスポット用光源の構成を示す断面斜視図であって、図２０は反射型レンズと凸レンズとが別体である構成を示し、図１９は反射型レンズと凸レンズとが一体である構成を示す。反射型レンズと凸レンズとを組み合わせて用いれば、上述のスポット用光源２７、２８と同様に、高い装飾性と集光力とを両立させることができる。また、反射型レンズと凸レンズとを一体化すれば、スポット用光源の部品点数を低減し、かつ、製造工数を削減して、低コスト化を図ることができる。
【００３６】
図２２、２３は、３つのＬＥＤ素子を備え、反射型レンズと凸レンズとを組み合わせて用いたスポット用光源の構成を示す断面斜視図であって、図２２は反射型レンズと凸レンズとが別体である構成を示し、図２３は反射型レンズと凸レンズとが一体である構成を示す。このようにすれば、ＬＥＤ素子の数を増やすことによって、上述のスポット用光源３１、３２よりも光量を増大させることができる。
【００３７】
図２４、２５は反射型レンズとフレネルレンズとを備えるスポット用光源の構成を示す断面斜視図であって、図２４は、ＬＥＤ素子を１つ備える構成を示し、図２５はＬＥＤ素子を３つ備える構成を示す。このようにすれば、反射型レンズを用いる場合であっても、スポット用光源３３、３４よりも小型化を図ることができる。
（２）  上記実施の形態においては、特に言及しなかったがＥ口金を備える場合について説明した。しかしながら、本発明がこれに限定されないのは言うまでもなく、Ｅ口金以外の口金を適用してもよい。例えば、図２６の一部切欠き図に示されるように、ピン口金を備えた構成のスポット用光源であっても本発明の効果は同じである。
【００３８】
（３）  上記実施の形態においては、側面部１２ｂの形状が滑らかなカップ状である場合について説明したが、本発明がこれに限定されないのは言うまでもなく、他の形状をとっても良い。例えば、ファセットを模して、側面部１２ｂの表面に角度の異なる多数の平面を形成してもよいし、凹凸を設けてもよい。また、側面部１２ｂ外周面の表面粗さを粗くすれば、シリコンカーバイド等を塗布し易くなる。
【００３９】
（４）  上記実施の形態においては、側面部１２ｂが全周に亘って光透過性を有する場合について説明したが、本発明がこれに限定されないのは言うまでもなく、周方向の一部分だけを光透過性にしても良い。このようにすれば、当該一部分からの出射光量を大きくして更に装飾性を高めることができる。特に、ピン口金を用いる場合には、器具に取り付けられた状態におけるスポット用光源１の向きが固定的なので有用である。
【００４０】
（５）  上記実施の形態においては、発光素子をＬＥＤ素子としているが、本発明は、これに限られない。例えば、有機ＥＬ素子でもよい。
（６）  上記実施の形態においては、放熱器１２の開口部に前面ガラス１３が金具１４で取り付けられる場合について説明したが、本発明がこれに限定されないのは言うまでもなく、金具に代えて接着剤やネジなどで固定しても良い。
【００４１】
また、前面ガラス１３は、例えば、樹脂やガラスなどの材料でなっていても良く、フロスト加工を施すことによってスポット用光源の配光を調整しても良い。
（７）  上記実施の形態においては、レンズ等の光制御部材を備える場合について説明したが、本発明がこれに限定されないのは言うまでもなく、光制御部材の有無に関わらず、側面部に希土類元素を多結晶の状態で含むセラミックスを用いれば、点灯時と消灯時とで側面部の色を変化させることができるので、高い装飾性を実現することができる。
【産業上の利用可能性】
【００４２】
本発明は、例えば、反射鏡付きハロゲン電球に代替するスポット用光源に利用可能である。
【符号の説明】
【００４３】
１、５、６、８、９、１１〜１４、２７〜３７…スポット用光源
１１……………………………………………………ケース
１１ａ…………………………………………………円筒部
１１ｂ…………………………………………………突出部
１２……………………………………………………放熱器
１２ａ…………………………………………………底部
１２ｂ…………………………………………………側面部
１３……………………………………………………前面ガラス
１４……………………………………………………金具
１５……………………………………………………シェル
１６……………………………………………………アイレット
１７……………………………………………………点灯回路
１８……………………………………………………発光部
１８ａ…………………………………………………金属基板
１８ｂ…………………………………………………ＬＥＤ素子
１８ｃ…………………………………………………シリコーン樹脂部材
１８ｄ…………………………………………………レンズ
３８、３９、４３、４４……………………………反射型レンズ
４０、４１……………………………………………反射面
４２……………………………………………………出射面
４５……………………………………………………凸レンズ
４６……………………………………………………フレネルレンズ
４７……………………………………………………レンズ
４８……………………………………………………給電端子
【図１】
0005623977.tif 000002
【図２】
0005623977.tif 000003
【図３】
0005623977.tif 000004
【図４】
0005623977.tif 000005
【図５】
0005623977.tif 000006
【図６】
0005623977.tif 000007
【図７】
0005623977.tif 000008
【図８】
0005623977.tif 000009
【図９】
0005623977.tif 000010
【図１０】
0005623977.tif 000011
【図１１】
0005623977.tif 000012
【図１２】
0005623977.tif 000013
【図１３】
0005623977.tif 000014
【図１４】
0005623977.tif 000015
【図１５】
0005623977.tif 000016
【図１６】
0005623977.tif 000017
【図１７】
0005623977.tif 000018
【図１８】
0005623977.tif 000019
【図１９】
0005623977.tif 000020
【図２０】
0005623977.tif 000021
【図２１】
0005623977.tif 000022
【図２２】
0005623977.tif 000023
【図２３】
0005623977.tif 000024
【図２４】
0005623977.tif 000025
【図２５】
0005623977.tif 000026
【図２６】
0005623977.tif 000027